(57)【要約】      （修正有）【課題】開閉駆動機構をコンパクトに構成した入賞口装置を備えたパチンコ遊技機を提供する。【解決手段】可変入賞口１１ａと開閉部材１１ｂと開閉駆動機構７０とを備えた入賞口装置１１を遊技盤に装備し、開閉駆動機構７０は、第１回転軸７３を介してベース部材４５に回動自在に支持され、開閉部材１１ｂに第１連動機構を介して連結される第１伝達部材７１と、第１回転軸７３と平行な第２回転軸７４を介してベース部材４５に回動自在に支持され、第１伝達部材７１に第２連動機構を介して連結された第２伝達部材７２とを備え、第１，第２回転軸７１，７２は、ソレノイド１１ｄのプランジャ７８の軸心を挟んで反対側に配置され、第２伝達部材７２のうち第２回転軸７４と第２連動機構との間部分に、プランジャ７８が第３連動機構を介して連結されている。【選択図】図５
2011115261.tif 000002
【特許請求の範囲】
【請求項１】
可変入賞口と、この可変入賞口を開閉可能にベース部材に回動自在に支持された開閉部材と、この開閉部材を開閉駆動するソレノイドアクチュエータを含む開閉駆動機構とを備えた入賞口装置を遊技盤に装備したパチンコ遊技機において、
前記開閉駆動機構は、
第１回転軸を介してベース部材に回動自在に支持され、開閉部材に第１連動機構を介して連結される第１伝達部材と、
前記第１回転軸と平行な第２回転軸を介してベース部材に回動自在に支持され、第１伝達部材に第２連動機構を介して連結された第２伝達部材とを備え、
前記第１，第２回転軸は、前記ソレノイドアクチュエータのプランジャの軸心を挟んで反対側に配置され、
前記第２伝達部材のうち第２回転軸と第２連動機構との間部分に、前記プランジャが第３連動機構を介して連結されたことを特徴とするパチンコ遊技機。
【請求項２】
可変入賞口と、この可変入賞口を開閉可能にベース部材に回動自在に支持された開閉部材と、この開閉部材を開閉駆動するソレノイドアクチュエータを含む開閉駆動機構とを備えた入賞口装置を遊技盤に装備したパチンコ遊技機において、
前記ソレノイドアクチュエータは、遊技盤に対して垂直な前後方向に進退駆動可能なプランジャを備え、
前記開閉駆動機構は、
前記遊技盤と平行な第１回転軸を介してベース部材に回動自在に支持され、開閉部材に第１連動機構を介して連結される第１伝達部材と、
前記第１回転軸と平行な第２回転軸を介してベース部材に回動自在に支持され、第１伝達部材に第２連動機構を介して連結された第２伝達部材とを備え、
前記第１，第２回転軸は、前記プランジャの軸心を挟んで反対側に配置され、
前記第２伝達部材のうち第２回転軸と第２連動機構との間部分に、前記プランジャが第３連動機構を介して連結されたことを特徴とするパチンコ遊技機。
【請求項３】
前記第１回転軸がソレノイドアクチュエータの本体の前端面よりも後方且つ下方に配置され、前記第２回転軸が前記プランジャの上方に配置され、前記第２連動機構が前記プランジャの下方に配置されたことを特徴とする請求項２に記載のパチンコ遊技機。
【請求項４】
前記第２連動機構は、第１伝達部材に設けられた係合ピン部と、第２伝達部材に設けられ前記係合ピン部が移動自在に係合する係合部とを有し、
前記係合部には、閉状態の開閉部材に開方向への外力が作用した場合に、前記係合ピン部の揺動を規制する規制面が形成されたことを特徴とする請求項２又は３に記載のパチンコ遊技機。
【請求項５】
前記係合部は、第２伝達部材の回動を第１伝達部材の回動に変換する為の第１の孔部と、この第１の孔部のうち第２回転軸と反対側端部に連なり且つ開閉部材が閉状態のときに係合ピン部が係合する第２の孔部とからなり、この第２の孔部に前記規制面が形成されたことを特徴とする請求項４に記載のパチンコ遊技機。
【請求項６】
前記開閉部材が左右に１対設けられ夫々前後方向の軸回りに回動するように構成され、
前記第１，第２伝達部材が夫々１対の開閉部材に対応するように左右に１対設けられ、
前記１対の第１伝達部材が第１回転軸を介して一体的に連結され、前記１対の第２伝達部材が第２回転軸を介して一体的に連結されたことを特徴とする請求項２〜５の何れか１項に記載のパチンコ遊技機。
【請求項７】
前記第１連動機構は、開閉部材に設けられた後方突出状の被押動部と、第１伝達部材に設けられ被押動部を上昇させて開閉部材を開動作させる押動下部と被押動部を下降させて開閉部材を閉動作させる押動上部とを有することを特徴とする請求項１〜６の何れか１項に記載のパチンコ遊技機。
【請求項８】
前記第３連動機構は、前記プランジャに一体的に設けられた環状凹部を有する駆動部材と、第２伝達部材に設けられ前記環状凹部に係合する突出係合部とを有することを特徴とする請求項１〜７の何れか１項に記載のパチンコ遊技機。
【請求項９】
前記可変入賞口は遊技球の入賞により大当り抽選がなされる始動口であることを特徴とする請求項１〜８の何れか１項に記載のパチンコ遊技機。
【発明の詳細な説明】
【技術分野】
【０００１】
本発明はパチンコ遊技機に関して、特に、入賞口装置の開閉部材を開閉駆動する開閉駆動機構において、ソレノイドアクチュエータのプランジャの進退駆動により２つの伝達部材を回動させ、この伝達部材の回動により開閉部材を開閉させるものである。
【背景技術】
【０００２】
近年主流のパチンコ遊技機では、始動口への遊技球の入賞により行われる大当り抽選で当選した場合、開閉式の大入賞口が複数ラウンドに亙って開閉する大当り遊技状態が発生する。ここで、開閉式の可変始動口（所謂電チュー）を有する始動入賞口装置、開閉式の大入賞口を有する大入賞口装置などの入賞口装置が遊技盤に装備されている。
【０００３】
一般的な入賞口装置においては、可変入賞口を開閉可能に開閉部材がベース部材に回動自在に支持され、この開閉部材がソレノイドアクチュエータ（ソレノイド）を含む開閉駆動機構により開閉駆動される。ここで、入賞口装置の開閉駆動機構として、種々の構造のものが実用に供されている（例えば、特許文献１〜３参照）。
【０００４】
特許文献１，２の始動入賞口装置においては、開閉駆動機構が、ソレノイドのプランジャに連動連結された第１のレバーと、この第１のレバーと開閉部材とに連動連結される第２のレバーとを有し、ソレノイドのプランジャの進退駆動により第１，第２のレバーを回動させ、この第１，第２のレバーの回動により開閉部材を開閉させる。
【０００５】
特許文献１の開閉駆動機構では、ソレノイドが開閉部材の後方に後向きに配置され、そのプランジャの軸心よりも下方において、第１，第２のレバーの長さ方向途中部が、夫々左右に向く第１，第２の軸を介して回動自在に支持されている。特許文献２の開閉駆動機構では、ソレノイドが開閉部材の後方且つ右方に上向きに配置され、第１のレバーの長さ方向途中部が前後に向く第１の軸を介して回動自在に支持され、第２のレバーの長さ方向途中部が左右に向く第２の軸を介して回動自在に支持されている。
【０００６】
特許文献３の大入賞口装置においては、ソレノイドが開閉部材の後方に前向きに配置され、開閉駆動機構が、ソレノイドのプランジャに一体的に連結されたスライド部材と、このスライド部材と開閉部材とに連動連結される揺動部材とを有し、スライド部材の前後移動がカム機構により揺動部材の回動に変換され、この揺動部材の回動により開閉部材を開閉させる。カム機構は、スライド部材に設けられた係合ピンと、この係合ピンが係合するように揺動部材に形成された円弧状の係合溝とを有する。
【０００７】
ところで、パチンコ遊技機の外部から遊技盤前面側の遊技領域に針金やワイヤーなどを差し込んで、入賞口装置の開閉部材が強制的に開放されて、不正に遊技球を獲得したり大当り抽選を受けたりする不正行為（所謂ゴト行為）が行われることがある。近年のパチンコ遊技機では、大型の液晶表示装置やセンター役物を遊技盤に装備して、入賞口装置を遊技領域の外周近くに配置した機種が多く、故に、前記不正行為が行われ易くなる。
【０００８】
そこで、入賞口装置の開閉駆動機構に、閉状態の開閉部材が外力により開放されないようにロックするロック機構を設けたものが実用化されている（例えば、特許文献３参照）。特許文献３のロック機構では、揺動部材の案内溝に臨む部分に、閉状態の開閉部材を不正に開けようとした場合に、スライド部材の係合ピンが係合して揺動部材の上方への揺動を規制する、つまり、開閉部材が開動作しないようにロックするロック面が形成されている。
【先行技術文献】
【特許文献】
【０００９】
【特許文献１】特開２００３−３３４８８号公報
【特許文献２】特開２００４−１３５９９６号公報
【特許文献３】特開２００９−１８３３３６号公報
【発明の概要】
【発明が解決しようとする課題】
【００１０】
近年のパチンコ遊技機では、遊技演出を充実させるため、液晶表示装置やセンター役物が大型化する傾向にある。そして、この大型の液晶表示装置やセンター役物によって、入賞口装置の配置が大きく制限されるため、また、遊技盤の裏側には、液晶表示装置の駆動部、センター役物に設けた複数の可動体の駆動部、更には、セーフ球やアウト球などの遊技球を流下させる複数の球通路などが配設されるため、入賞口装置の開閉駆動機構は可能な限りコンパクトに構成することが望まれる。
【００１１】
特許文献１の入賞口装置の開閉駆動機構では、ソレノイドが開閉部材の後方に後向きに配置され、第１，第２のレバーの軸が共にソレノイドのプランジャの軸心よりも下方に配置されている。故に、ソレノイドを開閉部材に非常に近付けることができるが、プランジャの後端部から開閉部材へ至る第１，第２のレバーが全体的に長くなり、ソレノイドの下側全体に配置されるため、開閉駆動機構が大型化する。
【００１２】
特許文献２の入賞口装置の開閉駆動機構では、ソレノイドが開閉部材の後方且つ右方に、開閉部材から比較的離れた位置に上向きに配置されている。従って、プランジャから開閉部材へ至る第１，第２のレバーが平面視Ｌ形に配置されて全体的に長くなり、故に、開閉駆動機構が大型化する。
【００１３】
特許文献３の入賞口装置の開閉駆動機構では、ソレノイドが開閉部材の後方に前向きに配置され、揺動部材の軸がソレノイドと開閉部材の間に配置されている。また、揺動部材は、スライド部材の前後移動により揺動し、その揺動により開閉部材を開閉させるために、ある程度の大きさが必要であるが、その揺動部材の略全体がソレノイドと開閉部材の間に配置されるため、開閉駆動機構の前後長が大きくなる。
【００１４】
本発明の目的は、パチンコ遊技機の入賞口装置において、開閉駆動機構をコンパクトに構成すること、更に、この開閉駆動機構に閉状態の開閉部材が不正に開放される不正行為を防止する構造を設けること、等である。
【課題を解決するための手段】
【００１５】
本願発明は以下の構成を有するものである。尚、参照符号は、本願発明の理解促進の為に図面に図示した構成要素との対応関係の一例を示したものであり、本願発明の技術的範囲を限定するものではない。
【００１６】
請求項１のパチンコ遊技機(1)は、可変入賞口(11a)と、この可変入賞口(11a)を開閉可能にベース部材(41)に回動自在に支持された開閉部材(11b)と、この開閉部材(11b)を開閉駆動するソレノイドアクチュエータ(11d)を含む開閉駆動機構(70)とを備えた入賞口装置(11)を遊技盤(4)に装備したパチンコ遊技機(1)において、前記開閉駆動機構(70)は、第１回転軸(73)を介してベース部材(41)に回動自在に支持され、開閉部材(11b)に第１連動機構(75)を介して連結される第１伝達部材(71)と、前記第１回転軸(73)と平行な第２回転軸(74)を介してベース部材(41)に回動自在に支持され、第１伝達部材(71)に第２連動機構(76)を介して連結された第２伝達部材(72)とを備え、前記第１，第２回転軸(73,74)は、前記ソレノイドアクチュエータ(11d)のプランジャ(78)の軸心を挟んで反対側に配置され、前記第２伝達部材(72)のうち第２回転軸(74)と第２連動機構(76)との間部分に、前記プランジャ(78)が第３連動機構(77)を介して連結されたことを特徴としている。
【００１７】
請求項２のパチンコ遊技機(1)は、可変入賞口(11a)と、この可変入賞口(11a)を開閉可能にベース部材(41)に回動自在に支持された開閉部材(11b)と、この開閉部材(11b)を開閉駆動するソレノイドアクチュエータ(11d)を含む開閉駆動機構(70)とを備えた入賞口装置(11)を遊技盤(4)に装備したパチンコ遊技機(1)において、前記ソレノイドアクチュエータ(11d)は、遊技盤(4)に対して垂直な前後方向に進退駆動可能なプランジャ(78)を備え、前記開閉駆動機構(70)は、前記遊技盤(4)と平行な第１回転軸(73)を介してベース部材(41)に回動自在に支持され、開閉部材(11b)に第１連動機構(75)を介して連結される第１伝達部材(71)と、前記第１回転軸(73)と平行な第２回転軸(74)を介してベース部材(41)に回動自在に支持され、第１伝達部材(71)に第２連動機構(75)を介して連結された第２伝達部材(72)とを備え、前記第１，第２回転軸(73,74)は、前記プランジャ(78)の軸心を挟んで反対側に配置され、前記第２伝達部材(72)のうち第２回転軸(74)と第２連動機構(76)との間部分に、前記プランジャ(78)が第３連動機構(77)を介して連結されたことを特徴としている。
【００１８】
請求項３のパチンコ遊技機(1)は、請求項２の発明において、前記第１回転軸(73)がソレノイドアクチュエータ(11d)の本体の前端面よりも後方且つ下方に配置され、前記第２回転軸(73)が前記プランジャ(78)の上方に配置され、前記第２連動機構(76)が前記プランジャ(78)の下方に配置されたことを特徴としている。
【００１９】
請求項４のパチンコ遊技機(1)は、請求項２又は３の発明において、前記第２連動機構(76)は、第１伝達部材(71)に設けられた係合ピン部(82)と、第２伝達部材(72)に設けられ前記係合ピン部(82)が移動自在に係合する係合部(83)とを有し、前記係合部(83)には、閉状態の開閉部材(11b)に開方向への外力が作用した場合に、前記係合ピン部(82)の揺動を規制する規制面(91)が形成されたことを特徴としている。
【００２０】
請求項５のパチンコ遊技機(1)は、請求項４の発明において、前記係合部(83)は、第２伝達部材(72)の回動を第１伝達部材(71)の回動に変換する為の第１の孔部(89a)と、この第１の孔部(89a)のうち第２回転軸(74)と反対側端部に連なり且つ開閉部材(11b)が閉状態のときに係合ピン部(82)が係合する第２の孔部(89b)とからなり、この第２の孔部(89b)に前記規制面(91)が形成されたことを特徴としている。
【００２１】
請求項６のパチンコ遊技機(1)は、請求項２〜５の何れか１項の発明において、前記開閉部材(11b)が左右に１対設けられ夫々前後方向の軸回りに回動するように構成され、前記第１，第２伝達部材(71,72)が夫々１対の開閉部材(11b)に対応するように左右に１対設けられ、前記１対の第１伝達部材(71)が第１回転軸(73)を介して一体的に連結され、前記１対の第２伝達部材(72)が第２回転軸(74)を介して一体的に連結されたことを特徴としている。
【００２２】
請求項７のパチンコ遊技機(1)は、請求項１〜６の何れか１項の発明において、前記第１連動機構(75)は、開閉部材(11b)に設けられた後方突出状の被押動部(67)と、第１伝達部材(71)に設けられ被押動部(67)を上昇させて開閉部材(11b)を開動作させる押動下部(88a)と被押動部(67)を下降させて開閉部材(11b)を閉動作させる押動上部(88b)とを有することを特徴としている。
【００２３】
請求項８のパチンコ遊技機(1)は、請求項１〜７の何れか１項の発明において、前記第３連動機構(77)は、前記プランジャ(78)に一体的に設けられた環状凹部(92)を有する駆動部材(85)と、第２伝達部材(72)に設けられ前記環状凹部(92)に係合する突出係合部(84)とを有することを特徴としている。
【００２４】
請求項９のパチンコ遊技機(1)は、請求項１〜８の何れか１項の発明において、前記可変入賞口(11a)は遊技球の入賞により大当り抽選がなされる始動口であることを特徴としている。
【発明の効果】
【００２５】
請求項１の発明によれば、入賞口装置のソレノイドアクチュエータ（以下、ソレノイドという）を含む開閉駆動機構において、第１伝達部材が、第１回転軸を介してベース部材に回動自在に支持されて、開閉部材に第１連動機構を介して連結され、第２伝達部材が、第１回転軸と平行な第２回転軸を介してベース部材に回動自在に支持されて、第１伝達部材に第２連動機構を介して連結され、第１，第２回転軸が、ソレノイドのプランジャの軸心を挟んで反対側に配置され、プランジャが、第２伝達部材のうち第２回転軸と第２連動機構との間部分に第３連動機構を介して連結されている。
【００２６】
従って、プランジャが進退駆動されると、第２伝達部材が回動され、第１伝達部材が回動され、開閉部材が開閉されるという作動とともに次の構成を実現できる。即ち、第１伝達部材をコンパクトに形成して、プランジャの近傍にコンパクトに配置することができ、また、第２伝達部材をプランジャを跨ぐようにプランジャの軸心と直交する方向に長細く形成してコンパクトに配置することができる。しかも、第２伝達部材のプランジャとの連結部の移動量よりも第１伝達部材との連結部の移動量を大きくすることができるため、開閉部材を開閉させるのに必要なプランジャの進退ストロークを小さくすることができる。依って、開閉駆動機構（入賞口装置）をコンパクトに構成することができる。
【００２７】
請求項２の発明によれば、プランジャが遊技盤に対して垂直な前後方向に進退駆動可能であり、第１，第２回転軸が遊技盤と平行であり、その他の構成は請求項１と同様である。従って、ソレノイドを開閉部材に近付けて配置して、そのソレノイドの前部側に第１，第２伝達部材をコンパクトに配置して、開閉駆動機構を前後方向に且つ全体的にコンパクトに構成することができる。その他、請求項１と同様の効果を奏する。
【００２８】
請求項３の発明によれば、第１回転軸がソレノイドの本体の前端面よりも後方且つ下方に配置され、第２回転軸がプランジャの上方に配置され、第２連動機構がプランジャの下方に配置されたので、開閉部材を開閉させ得るように、第１，第２伝達部材をコンパクトに形成し且つ配置することができる。
【００２９】
請求項４の発明によれば、第２連動機構は、第１伝達部材に設けられた係合ピン部と、第２伝達部材に設けられ係合ピン部が移動自在に係合する係合部とを有するので、この構造により、第２伝達部材の回動を第１伝達部材の回動に確実に変換することができ、係合部には、閉状態の開閉部材に開方向への外力が作用した場合に、係合ピン部の揺動を規制する規制面が形成されたので、開閉駆動機構に、係合ピン部と係合部とを利用して、閉状態の開閉部材が不正に開放される不正行為を防止する構造を設けることができる。
【００３０】
請求項５の発明によれば、係合部は、第２伝達部材の回動を第１伝達部材の回動に変換する為の第１の孔部と、この第１の孔部のうち第２回転軸と反対側端部に連なり且つ開閉部材が閉状態のときに係合ピン部が係合する第２の孔部とからなり、この第２の孔部に規制面が形成されたので、この規制面に係合ピン部を係合させて係合ピン部の揺動を確実に規制することができる。
【００３１】
請求項６の発明によれば、開閉部材が左右に１対設けられ夫々前後方向の軸回りに回動するように構成され、第１，第２伝達部材が夫々１対の開閉部材に対応するように左右に１対設けられ、１対の第１伝達部材が第１回転軸を介して一体的に連結され、１対の第２伝達部材が第２回転軸を介して一体的に連結されたので、開閉駆動機構のコンパクトな構成を維持して、共通の１つのソレノイドを駆動源として、１対の第１伝達部材及び第２伝達部材を回動させて、１対の開閉部材を開閉させることができる。
【００３２】
請求項７の発明によれば、第１連動機構は、開閉部材に設けられた後方突出状の被押動部と、第１伝達部材に設けられ被押動部を上昇させて開閉部材を開動作させる押動下部と被押動部を下降させて開閉部材を閉動作させる押動上部とを有するので、第１伝達部材が回動することにより、開閉部材を確実に開閉させることができる。
【００３３】
請求項８の発明によれば、第３連動機構は、プランジャに一体的に設けられた環状凹部を有する駆動部材と、第２伝達部材に設けられ環状凹部に係合する突出係合部とを有するので、この第３連動機構によって、プランジャの進退を第２伝達部材の回動に変換可能に、プランジャを第２伝達部材に連結することができる。
【００３４】
請求項９の発明によれば、可変入賞口は遊技球の入賞により大当り抽選がなされる始動口であるので、その始動口を備えた始動入賞口装置をコンパクトに構成できる。
【図面の簡単な説明】
【００３５】
【図１】実施例に係るパチンコ遊技機の正面図である。
【図２】遊技盤の正面図である。
【図３】パチンコ遊技機の制御系のブロック図である。
【図４】入賞装置ユニットの斜視図である。
【図５】入賞装置ユニットにおける始動入賞口装置の分解斜視図である。
【図６】入賞装置ユニットにおける大入賞口装置の分解斜視図である。
【図７】入賞装置ユニットの正面図である。
【図８】入賞装置ユニットの裏面図である。
【図９】台板の裏面図である。
【図１０】台板の斜視図である。
【図１１】閉状態の開閉部材と開閉駆動機構の斜視図である。
【図１２】閉状態の開閉部材と開閉駆動機構の正面図である。
【図１３】閉状態の開閉部材と開閉駆動機構の側面図である。
【図１４】開状態の開閉部材と開閉駆動機構の斜視図である。
【図１５】開状態の開閉部材と開閉駆動機構の正面図である。
【図１６】開状態の開閉部材と開閉駆動機構の側面図である。
【発明を実施するための形態】
【００３６】
本発明は、始動口（可変入賞口）と、この始動口を開閉可能にベース部材に回動自在に支持された開閉部材と、この開閉部材を開閉駆動するソレノイドアクチュエータを含む開閉駆動機構とを備えた始動入賞口装置（入賞口装置）を遊技盤に装備したパチンコ遊技機に適用される。以下、発明を実施するための形態について、実施例に基づいて説明する。
【実施例】
【００３７】
図１〜図３に示すように、パチンコ遊技機１には、遊技ホールの島構造体等に取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００３８】
図１に示すように、開閉扉３には、窓３ａの下側に皿構造体６が設けられ、この皿構造体６の右下側に発射ハンドル７が装着されている。皿構造体６は、開閉扉３の本体部３ｃから前方へ膨張するように形成され、この皿構造体６に、遊技球を貯留する貯留皿６ａが形成されるとともに、操作ボタン装置１７が装備されている。
【００３９】
発射ハンドル７が回動操作されると、貯留皿６ａから発射位置に導入された遊技球が発射され、ここで、貯留皿６ａに複数の遊技球が存在する場合には、複数の遊技球が約０．６秒間隔で連続発射される。発射された遊技球はガイドレール８で案内され遊技領域５の上部に投入される。
【００４０】
図２、図３に示すように、遊技盤４には、遊技領域５に、多数の障害釘５ａ、固定始動入賞口装置１０、可変始動入賞口装置１１、ゲート１２、大入賞口装置１３、複数の一般入賞口１４、センター役物１５、画像表示器１６が、図示の配置にて装着され、遊技領域５外に遊技表示盤１９が装着され、遊技盤４の裏面側に制御装置２０が装着されている。
【００４１】
固定始動入賞口装置１０は、遊技盤４の中央部下側に設けられ、第１始動入賞口１０ａ、第１始動入賞口１０ａに入賞した遊技球を夫々検出する第１始動口ＳＷ１０ｂを有し、これら部材を含めた複数部材から一体的にユニット化されて遊技盤４に装備されている。第１始動入賞口１０ａは、遊技球の入賞により大当り抽選がなされる入賞口であり、所謂「ヘソ」を構成している。尚、ＳＷはスイッチを意味する。
【００４２】
可変始動入賞口装置１１は、遊技盤４の右部下側に設けられ、第２始動入賞口１１ａ、第２始動入賞口１１ａを開閉する開閉部材１１ｂ、第２始動入賞口１１ａに入賞した遊技球を検出する第２始動口ＳＷ１１ｃ、開閉部材１１ｂを開閉駆動する電チューＳＯＬ１１ｄを有する。第２始動入賞口１１ａは、遊技球の入賞により大当り抽選がなされる可変入賞口であり、開閉部材１１ｂと共に所謂「電チュー」を構成している。尚、ＳＯＬはソレノイドアクチュエータを意味する。開閉部材１１ｂは、第２始動入賞口１１ａへの遊技球の入賞を閉位置で不可能にし、開位置で可能にする。
【００４３】
ゲート１２は、遊技盤４の可変始動入賞口装置１１の右上側に設けられ、このゲート１２を通過した遊技球を検出するゲートＳＷ１２ａが付設されている。ゲート１２を遊技球が通過することを契機に行われる当り（補助遊技）抽選で当選した場合に、補助遊技が発生し、可変始動入賞口装置１１が作動して、通常は閉塞の第２始動入賞口１１ａが開放するように開閉部材１１ｂを１又は複数回開閉動作させる。
【００４４】
大入賞口装置１３は、遊技盤４の可変始動入賞口装置１１の下側に設けられ、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、大入賞口１３ａへの遊技球の入賞を閉位置で不可能にし、開位置で可能にする。尚、本実施例においては、可変始動入賞口装置１１と大入賞口装置１３は一体的にユニット化された入賞装置ユニット４０として遊技盤４に装備されているが、詳細は後ほど説明する。
【００４５】
始動入賞口１０ａ，１１ａへの遊技球の入賞を契機に行われる大当り抽選で当選した場合に、大当り遊技が発生し、大入賞口装置１３が作動して、通常は閉塞の大入賞口１３ａが開放するように開閉部材１３ｂを複数ラウンドに亙って開閉動作させる。各一般入賞口１４には入賞した遊技球を検出する一般入賞口ＳＷ１４ａが付設されている。
【００４６】
画像表示器１６は、液晶ディスプレイからなり、センター役物１５に大きく設けられている。この画像表示器１６には、始動入賞口１０ａ，１１ａへの遊技球の入賞を契機に大当り抽選演出が表示され、その大当り抽選演出では、演出図柄を用いて図柄変動や大当り抽選の結果が表示され、また、大当り遊技中には大当り演出が表示され、その大当り演出では、大当り遊技後に移行する遊技状態を示唆する遊技状態示唆演出が表示される。
【００４７】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００４８】
第１特別図柄表示器１９ａには、第１始動入賞口１０ａへの遊技球の入賞に基づいて第１特別図柄が図柄変動後に停止表示され、第２特別図柄表示器１９ｂには、第２始動入賞口１１ａへの遊技球の入賞に基づいて第２特別図柄が図柄変動後に停止表示される。第１又は第２特別図柄表示器１９ａ又は１９ｂに大当り図柄が停止表示された場合、大当り遊技状態が発生する。普通図柄表示器１９ｃには、ゲート１２への遊技球の入賞に基づいて普通図柄が図柄変動後に停止表示される。普通図柄表示器１９ｃに当り図柄が停止表示された場合、補助遊技が発生する。
【００４９】
第１特別図柄保留ランプ１９ｄには、第１始動入賞口１０ａに入賞した遊技球の数であって第１特別図柄表示器１９ａでの図柄変動に未だ供していない第１保留数が４個まで表示され、第２特別図柄保留ランプ１９ｅには、第２始動入賞口１１ａに入賞した遊技球の数であって第２特別図柄表示器１９ｂでの図柄変動に未だ供していない第２保留数が４個まで表示され、普通図柄保留ランプ１９ｆには、ゲート１２に入賞した遊技球の数であって普通図柄表示器１９ｃでの図柄変動に未だ供していない保留数が４個まで表示される。
【００５０】
発射ハンドル７を回動操作することで、発射され遊技領域５の上部に投入された遊技球は、複数の障害釘５ａに当たって方向を変えながら落下して、入賞口１０ａ，１１ａ，１３ａ，１４の何れかに入賞した場合、そこから遊技領域５外へ排出され、入賞口１０ａ，１１ａ，１３ａ，１４の何れにも入賞しなかった場合には、最終的に、遊技領域５の下端部に形成されたアウト口９から遊技領域５外へ排出される。
【００５１】
次に、パチンコ遊技機１の制御系について簡単に説明する。
図３に示すように、制御装置２０は、メイン制御装置２１とサブ制御装置２５とで構成されている。メイン制御装置２１は、遊技制御基板２２を備え、この遊技制御基板２２は盤用外部情報端子基板２３に接続されている。サブ制御装置２５は、払出制御基板２６、演出制御基板２７、画像・音声制御基板２８、ランプ制御基板２９を備え、払出制御基板２６は、枠用外部情報端子基板２４に接続されている。
【００５２】
遊技制御基板２２は、第１，第２始動口ＳＷ１０ａ，１１ａ、ゲートＳＷ１２ａ、大入賞口ＳＷ１３ｃ、一般入賞口ＳＷ１４ａからの球検出信号と、払出制御基板２６からの払出情報を受けて、電チューＳＯＬ１１ｄ、大入賞口ＳＯＬ１３ｄ、図柄表示器１９ａ，１９ｂ，１９ｃ、図柄保留ランプ１９ｄ，１９ｅ，１９ｆを制御し、払出制御基板２６と演出制御基板２７と盤用外部情報端子基板２３に制御情報（遊技情報）を出力する。
【００５３】
払出制御基板２６は、遊技制御基板２２からの制御情報と、払出球検出ＳＷ３１、球有り検出ＳＷ３２、満タン検出ＳＷ３３からの球検出信号を受けて、払出駆動モータ３０を制御し、入賞口１０ａ，１１ａ，１３ａ，１４への遊技球の入賞１個について、入賞口１０ａ，１１ａ，１３ａ，１４毎に設定された数の遊技球（入賞球）を貯留皿６ａに払出し、遊技制御基板２２と枠用外部情報端子基板２４に制御情報（払出情報）を出力する。
【００５４】
演出制御基板２７は、遊技制御基板２２からの遊技情報、演出ボタン装置１７からの操作信号を受けて、演出情報を画像・音声制御基板２８に出力する。画像・音声制御基板２８は、演出制御基板２７からの演出情報を受けて、画像表示器１６とスピーカ１８を制御する。ランプ制御基板２９は、演出制御基板２７からの演出情報を受けて、主に画像・音声制御基板３８による制御に同期させて枠ランプ３５と盤ランプ３６を制御する。
【００５５】
ここで、入賞装置ユニット４０について詳しく説明する。
図４〜図１０に示すように、入賞装置ユニット４０は、前記の通り、可変始動入賞口装置１１と大入賞口装置１３とを上下に配置して一体的に構成されたものである。
【００５６】
可変始動入賞口装置１１は、第２始動入賞口１１ａ、開閉部材１１ｂ、第２始動口ＳＷ１１ｃ、始動口ベース部材４１、開閉部材１１ｂを開閉駆動する電チューＳＯＬ１１ｄを含む開閉駆動機構７０を備え、大入賞口装置１３は、大入賞口１３ａ、開閉部材１３ｂ、大入賞口ＳＷ１３ｃ、大入賞口ベース部材４２、開閉部材１３ｂを開閉駆動する大入賞口ＳＯＬ１３ｄを含む開閉駆動機構１００を備えている。尚、入賞装置ユニット４０において、ＳＯＬ１１ｄ，１３ｄ以外の大部分は、合成樹脂材料で構成されている。
【００５７】
次に、始動口ベース部材４１と大入賞口ベース部材４２について説明する。
図４〜図８に示すように、始動口ベース部材４１は、上側台板４３ａ（台板４３）、上側台板４３ａの前面に取り付けられた第２始動口形成部材４４、上側台板４３ａの後面部側に設けられたベース本体部材４５を有する。大入賞口ベース部材４２は、下側台板４３ｂ（台板４３）、下側台板４３ｂの後面に取り付けられた中央ベース部材９５と下部ベース部材９６を有する。尚、ベース本体部材４５、中央ベース部材９５、下部ベース部材９６が、遊技盤４に形成された取付孔（図示略）に嵌合され、台板４３の外周部分が、遊技盤４の前面に当接した状態で複数のビスにより固定されている。
【００５８】
図４〜図１０に示すように、台板４３は、その上側台板４３ａと下側台板４３ｂとが正面視にて逆Ｔ字状に一体的に形成され、周辺部は揺らぐ炎を模し、遊技盤４の盤面と略同一平面上に位置するように配置されている。
【００５９】
上側台板４３ａには、表面に炎を模した凹凸形状の透明な光拡散透過部４６が設けられている。上側台板４３ａ（台板４３の上部）には、第２始動入賞口１１ａに連通する第２球通過穴４７（図９参照）が形成されるとともに、前方へ突出する突起部材４８が設けられている。突起部材４８は、光拡散透過部４６に一体的に形成されている。
【００６０】
突起部材４８は、断面四角の棒状に形成され、閉位置の開閉部材１１ｂの上端近傍に位置して、その閉位置の開閉部材１１ｂと協働して、第２始動入賞口１１ａへの遊技球の入賞を阻止する。尚、突起部材４８は、断面四角の棒状に限らず、断面三角や円などの種々の棒状に形成されても良い。
【００６１】
下側台板４３ｂには、正面視にて横長矩形状の開口部５１が形成され、この開口部５１以外の部分に微細な格子状の模様パターンによる文字や星型の形状の透明な光拡散透過部５２が設けられている。台板４３に設けられた光拡散透過部４６，５２は、その後側に設けられたＬＥＤの光を拡散させて前方へ透過させる。
【００６２】
第２始動口形成部材４４は、下方へ凹む凹形形状により第２始動入賞口１１ａを形成し、第２始動口形成部材４４の前面部に、正面視にて楕円（六角形）的な形状の装飾板４４ａが設けられている。第２始動口形成部材４４の内側において装飾板４４ａと台板４３との間に、開閉部材１１ｃが配設されている。
【００６３】
図４〜図６に示すように、ベース本体部材４５は、正面視にて環状に形成され台板４３の後面に取り付けられた透明ケース部材５３、台板４３に後方突出状に一体的に設けられた球誘導路６４を有する凹形の誘導路形成部材５４、誘導路形成部材５４の後端部に形成された左右１対の第１軸支持部５５、透明ケース部材５３の内側且つ上部近傍において台板４３に後方突出状に一体形成された左右１対の第２軸支持部５６（図９参照）などを有する。
【００６４】
透明ケース部材５３は、誘導路形成部材５４に外嵌状に配設され、透明ケース部材５３の外周は、上側の光拡散透過部４６の外周と略一致するように形成されている。透明ケース部材５３の下端部には、後方へ延びる二股状の脚部５７が形成され、この脚部５７が、中央ベース部材９５の上面に当接状に固定されている。透明ケース部材５３の前面部には、光拡散透過部４６の後面側に位置する白濁状の光拡散透過部５８が設けられている。
【００６５】
透明ケース部材５３は、その後端部に取り付けられる逆凹形の透明背面板６１を有し、この透明背面板６１の前面にＬＥＤ基板６２（プリント基板）が取り付けられ、そのＬＥＤ基板６２の前面に複数のＬＥＤが実装されている。ＬＥＤ基板６２は、透明背面板６１と共に透明ケース部材５３の上側部分と正面視にて略一致する形状に形成され、透明背面板６１と透明ケース部材５３との間に挟持状に固定されている。このＬＥＤ基板６２の複数のＬＥＤは、遊技演出の内容に応じて光拡散透過部４６、５８に光を照射する。
【００６６】
誘導路形成部材５４には、その下端部に第２球通過穴４７に連通する球誘導路６４が形成されている。第２始動入賞口１１ａに入賞した遊技球は第２球通過穴４７、球誘導路６４を通り、そこから脚部５７の間を通って落下する。この誘導路形成部材５４の左右両側壁の後端部に、後方に開放する側面視コ字状の１対の第１軸支持部５５が形成されている。また、誘導路形成部材５４の上方において、後方に開放する側面視コ字状の１対の第２軸支持部５６が形成されている。尚、誘導路形成部材５４と第２軸支持部５６は、台板４３に一体的に設けられているが、これに限定する必要はなく、透明ケース部材５３と一体的に設けても良い。
【００６７】
中央ベース部材９５は、前端開放状の透明な矩形箱状に形成された透明ケース部材９９を有し、この透明ケース部材９９に、遊技盤４の盤面と平行方向の水平な軸回りに開閉動作する開閉部材１３ｂ、大入賞口１３ａに入賞した遊技球を検出する大入賞口ＳＷ１３ｃ（近接ＳＷ１３ｃ）、開閉部材１３ｂを開閉駆動する大入賞口ＳＯＬ１３ｄを含む開閉駆動機構１００、複数のＬＥＤが前面に実装されたＬＥＤ基板（図示略）などが取り付けられている。中央ベース部材９５の後側中央部には、前述の球誘導路６４から落下した遊技球が通過する落下通路９８が上下貫通状に形成されている。
【００６８】
透明ケース部材９９の内部において、大入賞口１３ａの内部の左側部分に球回収穴１０１及び大入賞口ＳＷ１３ｄが設けられ、大入賞口１３ａの内部の底壁が左方程下方へ傾斜し、奥端壁が右方程前方へ張り出すガイド壁部９９ａを形成している。ＬＥＤ基板の複数のＬＥＤは、大入賞口１３ａの内部から前方へ向けて光を照射する。
【００６９】
下部ベース部材９６は、上方開放の凹状に形成された底部形成部材１０９、底部形成部材１０９の後端部に取り付けられる後部透明部材１１０を有している。この底部形成部材１０９と後部透明部材１１０の間には、ＬＥＤ基板１１１が挟持状に取り付けられている。このＬＥＤ基板１１１の前面に実装された複数のＬＥＤは、下側の光拡散透過部５２に光を照射する。後部透明部材１１０の後部には、第２始動入賞口１１ａに連通する落下通路９８と大入賞口１３ａに連通する回収穴１０１からの遊技球を回収するための球回収通路が形成された回収通路形成部材１１２が取り付けられている。
【００７０】
次に、可変始動入賞口装置１１の開閉部材１１ｂについて説明する。
図１１〜図１６に示すように、開閉部材１１ｂは、左右１対の対称構造をなす比較的短い羽根部材６５ａ，６５ｂからなり、第２始動入賞口１１ａを開閉可能に始動口ベース部材４１に回動自在に支持されている。１対の羽根部材６５ａ，６５ｂは、第２始動口形成部材４４の装飾板４４ａと台板４３の前面部との間に配設され、１対の羽根部材６５ａ，６５ｂの下端側部分が、夫々、第２始動口形成部材４４と台板４３に、前後両端部が支持された前後方向の枢支軸６６ａ，６６ｂを介して回動自在に支持されている。１対の羽根部材６５ａ，６５ｂの下端部には、夫々、枢支軸６６ａ，６６ｂよりも内側且つ下方の部分から後方突出状の被押動部６７ａ，６７ｂが一体的に設けられている。
【００７１】
１対の羽根部材６５ａ，６５ｂは、起立姿勢になって第２始動入賞口１１ａを閉塞する閉位置（図１１〜図１３参照）と、逆八字状の傾斜姿勢になって第２始動入賞口１１ａを開放する開位置（図１４〜図１６参照）とに亙って左右に開閉する。１対の羽根部材６５ａ，６５ｂが開位置のとき、この羽根部材６５ａ，６５ｂの上面は、例えば、水平から内側下方へ約２０度傾斜した状態になり、その上面によって遊技球を受け止めて第２始動入賞口１１ａへ案内する案内機能を有する。尚、羽根部材６５ａ，６５ｂを合成樹脂材料で中空状に形成して軽量化し、慣性モーメントを小さくして開閉動作の応答性を高めることができる。
【００７２】
次に、大入賞口装置１３の開閉部材１３ｂについて説明する。
図４〜図９に示すように、開閉部材１３ｂは、開口部５１を覆うように正面視にて矩形板状に形成されている。開閉部材１３ｂの左右両端部の下端には、遊技盤４と平行に延びる１対の枢支軸１０２が設けられ、この枢支軸１０２を透明ケース部材９９の軸受け部９９ｂに回動自在に装着することで、開閉部材１３ｂが、開位置と開位置とに亙って位置切換え自在に構成されている。開閉部材１３ｂの表面には、台板４３の光拡散透過部５２と一体的に文字をなすような形状の光拡散透過部１０３が設けられている。
【００７３】
次に、可変始動入賞口装置１１の本案特有の開閉駆動機構７０について説明する。
図５，図１１〜図１６に示すように、開閉駆動機構７０は、１対の羽根部材６５ａ，６５ｂ（開閉部材１１ｂ）を閉位置（図１１〜図１３参照）と開位置（図１４〜図１６参照）とに亙って開閉駆動するものである。開閉駆動機構７０は、遊技盤４と平行且つ水平な左右方向の第１回転軸７３を介してベース本体部材４５に回動自在に支持され、開閉部材１１ｂに第１連動機構７５を介して連結される第１伝達部材７１と、第１回転軸７３と平行な左右方向の第２回転軸７４を介してベース本体部材４５に回動自在に支持され、第１伝達部材７１に第２連動機構７６を介して連結された第２伝達部材７２と、遊技盤４に対して垂直な前後方向に進退駆動可能なプランジャ７８を備えた電チューＳＯＬ１１ｄを備えている。
【００７４】
第１伝達部材７１（７１ａ，７１ｂ）は、１対の羽根部材６５ａ，６５ｂに対応するように、第１伝達部材７１は、左右に１対設けられている。この１対の第１伝達部材７１ａ，７１ｂは、１対の羽根部材６５ａ，６５ｂの被押動部６７ａ，６７ｂ間の間隔と同じ間隔を左右に空けて前向きに配置され、１対の第１伝達部材７１ａ，７１ｂの後端部が第１回転軸７３を介して一体的に連結され、上下に揺動する。尚、１対の第１伝達部材７１ａ，７１ｂと第１回転軸は一体形成されている。
【００７５】
第１回転軸７３の左右両端部分は、１対の第１伝達部材７１ａ，７１ｂから左右両外側へ突出し、台板４３に設けられた第１軸支持部５５に回動自在に係合支持されている。そして、第１回転軸７３は、電チューＳＯＬ１１ｄの本体の前端面よりも後方且つ下方に、具体的には電チューＳＯＬ１１ｄの本体前部の下側近傍に配置され、プランジャ８５の下側近くにおいて、第１伝達部材７１ａ，７１ｂの前部が第１連動機構６５を介して羽根部材６５ａ，６５ｂに連結され、第１伝達部材７１ａ，７１ｂの前側上部が第２連動機構６６を介して第２伝達部材７２ａ，７２ｂに連結される。
【００７６】
第２伝達部材７２は、プランジャ７８の軸心と直交する上下方向に細長く形成され、側面視にてプランジャ７８の前端部を跨ぐように配置されている。第２伝達部材７２（７２ａ，７２ｂ）は、１対の羽根部材６５ａ，６５ｂ（１対の第１伝達部材７１ａ，７１ｂ）に対応するように左右に１対設けられている。
【００７７】
この１対の第２伝達部材７２ａ，７２ｂは、正面視にてクランク状に夫々形成され、その上半部分は１対の第１伝達部材７１ａ，７１ｂ間の間隔と同じ間隔を左右に空け、その下半部分は１対の第１伝達部材７１ａ，７１ｂ間の間隔より広く間隔を左右に空けて配置されている。１対の第２伝達部材７２ａ，７２ｂの上端部が、第２回転軸７４を介して一体的に連結され、前後に揺動する。尚、１対の第２伝達部材７２ａ，７２ｂと第２回転軸７４は一体成形されている。
【００７８】
第２回転軸７４の１対の第２伝達部材７２ａ，７２ｂよりも内側部分が、台版４３に設けられた第２軸支持部５６に回動自在に係合支持されている。そして、第２回転軸７４は、プランジャ７８の上方に配置され、第１，第２回転軸７３，７４がプランジャ７８の軸心を挟んで反対側に配置されている。１対の第２伝達部材７２ａ，７２ｂの下半部分が、１対の第１伝達部材７１ａ，７１ｂの左右両外側に位置して、その１対の第１伝達部材７１ａ，７１ｂに第２連動機構７６を介して連結され、１対の第２伝達部材７２ａ，７２ｂの長さ方向中央部分が、プランジャ７８に第３連動機構７７を介して連結されている。
【００７９】
電チューＳＯＬ１１ｄは、１対の羽根部材６５ａ，６５ｂの共通の１つの駆動源として、１対の羽根部材６５ａ，６５ｂの後側に遊技盤４に対して垂直な前向きに配置されている。プランジャ７８の前端部に駆動部８５が設けられ、この駆動部８５が第３連動機構７７を介して１対の第２伝達部材７２ａ，７２ｂに連結されるとともに、電チューＳＯＬ１１ｄの本体と駆動部８５との間においてプランジャ７８に外装された圧縮コイルバネ（図示略）により、プランジャ７８が進出位置（前方）へ付勢されている。
【００８０】
電チューＳＯＬ１１ｄは、前方且つ下方を開放した後部透明ケース部材８７の上部に取り付けられ、この後部透明ケース部材８７が、始動口ベース部材４１の透明ケース部材５３に後側から挿入されるように取り付けられている。後部透明ケース部材８７の下端部には、第２始動口ＳＷ１１ｅが取り付けられ、球誘導路６４から落下通路９８へ落下する遊技球を検出する。この透明ケース部材８７の前端部によって、側面視にてコ字状の第１，第２軸支持部５５，５６の後方開放端が塞がれ、第１，第２回転軸７３，７４が第１，第２軸支持部５５，５６に回動自在に保持される。
【００８１】
ところで、１対の第１伝達部材７１ａ，７１ｂ、１対の第２伝達部材７２ａ，７２ｂ、プランジャ７８の駆動部８５は、透明ケース部材５３の内側に配置され、１対の羽根部材６５ａ，６５ｂの被押動部６７ａ，６７ｂは、第２球通過穴４７から透明ケース部材５３内に突出している。
【００８２】
次に、第１〜第３連動機構７５〜７７について説明する。
図１１〜図１６に示すように、第１連動機構７５は、１対の第１伝達部材７１ａ，７１ｂの上下の回動を１対の羽根部材６５ａ，６５ｂの左右の回動（開閉）に変換する機構である。この第１連動機構７５は、１対の羽根部材６５ａ，６５ｂの被押動部６７ａ，６７ｂ（６７）と、１対の第１伝達部材７１ａ，７１ｂの前部に形成され被押動部６７ａ，６７ｂに係合可能な二股状の係合部８１ａ，８１ｂ（８１）とを有し、係合部８１は、被押動部６７を上昇させて開閉部材１１ｂを開動作させる押動下部８８ａと、被押動部６７を下降させて開閉部材１１ｂを閉動作させる押動上部８８ｂとを有する。
【００８３】
第２連動機構７６は、１対の第２伝達部材７２ａ，７２ｂの前後の回動を１対の第１伝達部材７１ａ，７１ｂの上下の回動に変換する機構である。この第２連動機構７６は、１対の第１伝達部材７１ａ，７１ｂに設けられた係合ピン部８２ａ，８２ｂ（８２）と、１対の第２伝達部材７２ａ，７２ｂに設けられ１対の係合ピン部８２ａ，８２ｂが移動自在に係合する１対の係合部８３ａ，８３ｂ（８３）とを有し、カム機構を構成している。
【００８４】
係合ピン部８２は、第１伝達部材７１の前側上部に左右外方へ突出するように一体形成され、係合部８３は第２伝達部材７２の下半部分に形成された係合孔８３からなる。係合部８３は、第２伝達部材７２の回動を第１伝達部材７１の回動に変換する為の第１の孔部８９ａと、この第１の孔部８９ａのうち第２回転軸７４と反対側端部に連なり且つ開閉部材１１ｂが閉状態のときに係合ピン部８２が係合する第２の孔部８９ｂとからなる。第１の孔部８９ａは、第１伝達部材７１の長手方向に細長く形成され、第２の孔部８９ｂは、第１の孔部８９ａからその長さ方向と直交する後側へ比較的短い長さで形成されている。
【００８５】
ここで、係合部８３には、閉状態の開閉部材１１ｂに開方向への外力が作用した場合に、係合ピン部８２の揺動を規制する規制面９１が形成されている。この規制面９１は、第２の孔部８９ｂの上縁部により形成されている。
【００８６】
第３連動機構７７は、プランジャ７８の前後の進退を１対の第２伝達部材７２ａ，７２ｂの前後の回動に変換する機構である。この第３連動機構７７は、プランジャ７８に一体的に設けられた環状凹部９２を有する駆動部８５と、１対の第２伝達部材７２ａ，７２ｂに設けられ環状凹部９２に係合する突出係合部８４ａ，８４ｂ（８４）とを有する。突出係合部８４は、第２伝達部材７２の長さ方向中央部に左右内側へ突出するように一体形成されている。
【００８７】
この開閉駆動機構７０の動作について説明する。
図１１〜図１３に示すように、電チューＳＯＬ１１ｄがオフのとき、圧縮コイルバネによりプランジャ７８が最大限前方へ進出した状態になり、第２連動機構７６において、係合ピン部８２が第２の孔部８９ｂに係合し、第１連動機構７５において、押動上部８８ｂが被押動部６７に上側から係合し、開閉部材１１ｂが閉状態に保持される。
【００８８】
ここで、パチンコ遊技機１の外部から遊技盤４内部に針金やワイヤーなどを差し込んで、閉状態の開閉部材１１ｂを強制的に開けようとした場合、開閉部材１１ｂから第１伝達部材７１に、第１伝達部材７１を上方へ回動させる力が作用する。しかし、第１伝達部材７１の係合ピン部８２が、規制面９１で受け止められ、第２伝達部材７２を回動させる力を付与しないためロックされ、故に、第１伝達部材７１の上方への揺動、つまり、開閉部材１１ｂの開動作が規制される。
【００８９】
次に、電チューＳＯＬ１１ｄがオンされると、圧縮コイルバネの付勢力に抗してプランジャ７８が後方へ退入駆動される。すると、第３連動機構７７により、第２伝達部材７２が後方へ回動される。この第２伝達部材７２の後方回動により、第２連動機構７６において、係合ピン部８２が第２の孔部８９ｂから第１の孔部８９ａへ、そして上方へと移動していき、第１伝達部材８１が上方へ回動される。この第１伝達部材８１の上方回動により、第１連動機構７５において、押動下部８８ａにより、被押動部６７が押動され上昇し、開閉部材１１ｂが開動作する。
【００９０】
そして、図１４〜図１６に示すように、プランジャ７８が最大限後方へ退入した状態で、第２連動機構７６において、係合ピン部８２が第１の孔部８９ａの上端部に係合し、第１連動機構７５において、押動下部８８ａが被押動部６７に下側から係合し、開閉部材１１ｂが開状態に保持される。この状態から、電チューＳＯＬ１１ｄがオフされると、圧縮コイルバネによりプランジャ７８が前方へ進出駆動されるため、前記と逆の動作となり、第１連動機構７５において、押動上部８８ｂにより、被押動部６７が押動され下降し、開閉部材１１ｂが閉動作し、図１１〜図１３に示す状態になる。
【００９１】
次に、大入賞口装置１３の開閉駆動機構１００について説明する。
図６に示すように、開閉駆動機構１００は、透明ケース部材９９の右側壁の内側近傍部位に設けられ、開閉部材１３ｂと一体成形されたアーム部材１０４と、このアーム部材１０４と一体成形され且つ遊技盤４と平行な係合ピン１０５と、この係合ピン１０５に係合された揺動部材１０６と、この揺動部材１０６が連動連結され且つアーム部材１０４と揺動部材１０６を介して開閉部材１３ｂを開方向へ駆動する大入賞口ＳＯＬ１３ｄと、開閉部材１３ｂを閉方向へ駆動する圧縮コイルバネ（図示略）とを有する。
【００９２】
揺動部材１０６には、前方に延びる二股状の前側係合部１０７が前端部に形成され、大入賞口ＳＯＬ１３ｄのプランジャ１０９の先端部に係合される左方に延びる二股状の後側係合部１０８が後部部分に形成されている。後側係合部１０８には、１対の係合突起部が形成され、この係合突起部がプランジャ１０９の先端部に回動自在に係合されている。この揺動部材１０６は、プランジャ１０９が右方に向けて進出すると、時計回りに回動され、プランジャ１０９が左方に向けて後退すると、反時計回りに回動される。
【００９３】
この開閉駆動機構１００の動作について説明する。
大入賞口ＳＯＬ１３ｄがオフのとき、圧縮コイルバネによりプランジャ１０９が最大限右方へ進出した状態になり、揺動部材１０６が支持軸１０６ａを中心に時計回り方向に揺動し、前側係合部１０７により係合ピン１０５が下方へ押し下げられ、開閉部材１３ｂが閉状態に保持される。次に、大入賞口ＳＯＬ１３ｄがオンされると、そのプランジャ１０９が、圧縮コイルバネの付勢力に抗して左方へ退入駆動される。すると、揺動部材１０６が、支持軸１０６ａを中心に反時計回り方向に揺動し、前側係合部１０７により係合ピン１０５が上方へ押し上げられ、開閉部材１３ｂが開動作する。
【００９４】
次に、本発明に係るパチンコ遊技機１の効果について説明する。
このように、可変始動入賞口装置１１の電チューＳＯＬ１１ｄを含む開閉駆動機構７０において、第１伝達部材７１が、第１回転軸７３を介して始動口ベース部材４１に回動自在に支持されて、開閉部材１１ｂに第１連動機構７５を介して連結され、第２伝達部材７２が、第１回転軸７３と平行な第２回転軸７４を介して始動口ベース部材４１に回動自在に支持されて、第１伝達部材７１に第２連動機構７６を介して連結され、第１，第２回転軸７３，７４が、電チューＳＯＬ１１ｄのプランジャ７８の軸心を挟んで反対側に配置され、プランジャ７８が、第２伝達部材７２のうち第２回転軸７４と第２連動機構７６との間部分に第３連動機構７７を介して連結されている。
【００９５】
従って、プランジャ７８が進退駆動されると、第２伝達部材７２が回動され、第１伝達部材７１が回動され、開閉部材１１ｂが開閉されるという作動とともに次の構成を実現できる。即ち、第１伝達部材７１をコンパクトに形成して、プランジャ７８の近傍にコンパクトに配置することができ、また、第２伝達部材７２をプランジャ７８を跨ぐようにプランジャ７８の軸心と直交する方向に長細く形成してコンパクトに配置することができる。しかも、第２伝達部材７２のプランジャ７８との連結部の移動量よりも第１伝達部材７１との連結部の移動量を大きくすることができるため、開閉部材１１ｂを開閉させるのに必要なプランジャ７８の進退ストロークを小さくすることができる。依って、開閉駆動機構７０（可変始動入賞口装置１１）をコンパクトに構成することができる。
【００９６】
プランジャ７８が遊技盤４に対して垂直な前後方向に進退駆動可能であり、第１，第２回転軸７３，７４が遊技盤４と平行である。従って、電チューＳＯＬ１１ｄを開閉部材１１ｂに近付けて配置して、その電チューＳＯＬ１１ｄの前部側に第１，第２伝達部材７１，７２をコンパクトに配置して、開閉駆動機構７０（可変始動入賞口装置１１）を前後方向に且つ全体的にコンパクトに構成することができる。
【００９７】
第１回転軸７３が電チューＳＯＬ１１ｄの本体の前端面よりも後方且つ下方に配置され、第２回転軸７４がプランジャ７８の上方に配置され、第２連動機構７６がプランジャ７８の下方に配置されたので、開閉部材１１ｂを開閉させ得るように、第１，第２伝達部材７１，７２をコンパクトに形成し且つ配置することができる。
【００９８】
第２連動機構７６は、第１伝達部材７１に設けられた係合ピン部８２と、第２伝達部材７２に設けられ係合ピン部８２が移動自在に係合する係合部８３とを有するので、この構造（カム機構）により、第２伝達部材７２の回動を第１伝達部材７１の回動に確実に変換することができ、係合部８３には、閉状態の開閉部材１１ｂに開方向への外力が作用した場合に、係合ピン部８２の揺動を規制する規制面９１が形成されたので、開閉駆動機構７０に、係合ピン部８２と係合部８３とを利用して、閉状態の開閉部材１１ｂが不正に開放される不正行為を防止する構造を設けることができる。
【００９９】
係合部８３は、第２伝達部材７２の回動を第１伝達部材７１の回動に変換する為の第１の孔部８９ａと、この第１の孔部８９ａのうち第２回転軸７４と反対側端部に連なり且つ開閉部材１１ｂが閉状態のときに係合ピン部８２が係合する第２の孔部８９ｂとからなり、この第２の孔部８９ｂに規制面９１が形成されたので、この規制面９１に係合ピン部８２を係合させて係合ピン部８２の揺動を確実に規制することができる。
【０１００】
開閉部材１１ｂが左右に１対設けられ夫々前後方向の軸回りに回動するように構成され、第１，第２伝達部材７１，７２が夫々１対の開閉部材１１ｂに対応するように左右に１対設けられ、１対の第１伝達部材７１が第１回転軸７３を介して一体的に連結され、１対の第２伝達部材７２が第２回転軸７４を介して一体的に連結されたので、開閉駆動機構７０のコンパクトな構成を維持して、共通の１つの電チューＳＯＬ１１ｄを駆動源として、１対の第１伝達部材７１及び第２伝達部材７２を回動させて、１対の開閉部材１１ｂを開閉させることができる。
【０１０１】
第１連動機構７５は、開閉部材１１ｂに設けられた後方突出状の被押動部６７と、第１伝達部材７１に設けられ被押動部６７を上昇させて開閉部材１１ｂを開動作させる押動下部８８ａと被押動部６７を下降させて開閉部材１１ｂを閉動作させる押動上部８８ｂとを有するので、第１伝達部材７１が回動することにより、開閉部材１１ｂを確実に開閉させることができる。
【０１０２】
第３連動機構７７は、プランジャ７８に連結された環状凹部９２を有する駆動部材８５と、第２伝達部材７２に設けられ環状凹部９２に係合する突出係合部８４とを有するので、この第３連動機構７７によって、プランジャ７８の進退を第２伝達部材７２の回動に変換可能に、プランジャ７８を第２伝達部材７２に連結することができる。
【０１０３】
可変入賞口１１ａは遊技球の入賞により大当り抽選がなされる始動口であるので、その始動口１１ａを備えた可変始動入賞口装置１１をコンパクトに構成できる。
【０１０４】
次に、前記実施例を部分的に変更した変更例について説明する。
［１］前記可変始動入賞口装置１１の開閉駆動機構７０は、１対の開閉部材１１ｂの開閉駆動に適用されているが、これに限定する必要はなく、大入賞口装置１３の大入賞口１３ａを開閉駆動する開閉駆動機構１００に代えて、本発明の開閉駆動機構７０の構造を適用しても良い。この場合、第１，第２伝達部材７１，７２は１対設ける必要はなく、１組みの第１，第２伝達部材７１，７２で開閉部材１３ａを開閉駆動するようにしても良い。
【０１０５】
［２］前記入賞装置ユニット４０は、第２始動入賞口１１ａと大入賞口１３ａとが上下にに設けられた構成であるが、これに限定する必要はなく、第１始動入賞口１０ａと第２始動入賞口１１ａとが上下に配設され且つ一体的に設けられた入賞装置ユニットであっても良い。この場合、第２伝達部材７２の第２回動軸７４を、第１始動入賞口１０ａに連なる前後方向に延びる球誘導路の側壁部に回動自在に支持係合されるように設けても良い。
【０１０６】
［３］前記入賞装置ユニット４０は、遊技盤４の下部に設けられた遊技表示盤１９と一体的にユニット化されて構成されても良い。
［４］その他、本発明の趣旨を逸脱しない範囲において、前記開示事項以外の種々の変更を付加して実施可能である。
【産業上の利用可能性】
【０１０７】
本発明は、パチンコ遊技機以外の種々の遊技機、例えば、遊技球等の各種の遊技媒体を用いるアレンジボール機、雀遊技機等の遊技機にも利用することができる。
【符号の説明】
【０１０８】
１  パチンコ遊技機
４  遊技盤
１１  可変始動入賞口装置
１１ａ  第２始動入賞口
１１ｂ  開閉部材
１１ｄ  電チューＳＯＬ（ソレノイドアクチュエータ）
１３  大入賞口装置
１３ａ  大入賞口
１３ｂ  開閉部材
４１  始動口ベース部材
４２  大入賞口ベース部材
７０  開閉駆動機構
７１  第１伝達部材
７２  第２伝達部材
７３  第１回転軸
７４  第２回転軸
７５  第１連動機構
７６  第２連動機構
７７  第３連動機構
７８  プランジャ
８２  係合ピン部
８３  係合部
８４  突出係合部
８５  駆動部材
８８ａ  押動下部
８８ｂ  押動上部
８９ａ  第１の孔部
８９ｂ  第２の孔部
９１  規制面
９２  環状凹部
【図１】
2011115261.tif 000003
【図２】
2011115261.tif 000004
【図３】
2011115261.tif 000005
【図４】
2011115261.tif 000006
【図５】
2011115261.tif 000007
【図６】
2011115261.tif 000008
【図７】
2011115261.tif 000009
【図８】
2011115261.tif 000010
【図９】
2011115261.tif 000011
【図１０】
2011115261.tif 000012
【図１１】
2011115261.tif 000013
【図１２】
2011115261.tif 000014
【図１３】
2011115261.tif 000015
【図１４】
2011115261.tif 000016
【図１５】
2011115261.tif 000017
【図１６】
2011115261.tif 000018